(57)【要約】【課題】    容器の中身の食品等を取り出すためのスプーン等の取出具を保持具に着脱可能に保持させるようにし、その保持具自体を容器蓋の裏側に着脱可能に取り付けるようにして、容器の中身が無くなったとき保持具を取り外し、再び別の容器蓋の裏側に取り付けて使用できるようにする。【解決手段】容器の中身を取り出すための取出具を、保持具に着脱可能に保持するとともに、保持具に吸盤を固着し、吸盤により容器蓋の裏側に着脱可能に取り付けるようにする。また、取出具を折り畳みまたは伸縮可能にし、短縮した状態で保持具に取り付けるようにする。さらに、保持具に頭部が膨大したピンを設け、かつ取出具に一端が大径部となったスリットを形成し、取出具のスリットの大径部を保持具のピンに挿入したのち、スライドさせて取出具を保持具に取り付けるようにする。【選択図】  図１
2005162313.tif 000002
【特許請求の範囲】
【請求項１】
容器の中身の食品等を取り出すための取出具を、保持具に着脱可能に保持するとともに、保持具に吸盤を固着し、吸盤により容器蓋の裏側に着脱可能に取り付けるようにしたことを特徴とする取出具等保持具。
【請求項２】
取出具が折り畳みまたは伸縮可能になっていて、短縮した状態で保持具に取り付けることを特徴とする請求項１の取出具等保持具。
【請求項３】
保持具に頭部が膨大したピンが設けられ、かつ取出具に一端が大径部となったスリットが形成され、取出具のスリットの大径部を保持具のピンに挿入したのち、スライドさせて取り付けることを特徴とする請求項２の取出具等保持具。
【発明の詳細な説明】
【技術分野】
【０００１】  この発明は、容器の中身の食品等を取り出すためのスプーンやフォーク等の取出具を、着脱可能に保持する保持具を、容器蓋の裏側に着脱可能に取り付けるようにした取出具等保持具に関する。
【背景技術】
【０００２】
【特許文献１】  特開平６−２５５６６５
従来、上記特許文献１に示されるような、容器の中身を取り出すためのスプーン等の取出具を、着脱可能に保持する係止構造を、容器蓋の裏側に一体に形成したものが知られている。これは容器の中身を取り出すたびに取出具を収納場所から出し、使用後は洗ってもとの場所に保存するという不便を解消したものであるが、係止構造が容器蓋の裏側に一体に形成されているため、当該容器にしか使用することができず、容器の中身が無くなれば蓋を含めた容器全体を捨てるしかないので、折角付属させた係止構造が無駄になるという欠点があった。
【発明の開示】
【発明が解決しようとする課題】
【０００３】  この発明の目的は、上記従来装置の欠点を改良することであり、取出具を保持する保持具そのものを容器蓋の裏側に着脱可能に取り付けるようにして、容器の中身が無くなったときは保持具を取り外し、再び別の容器蓋の裏側に取り付けて使用できるようにすることである。
【課題を解決するための手段】
【０００４】    上記の課題を解決するため、この発明の取出具等保持具は、容器の中身を取り出すための取出具を、保持具に着脱可能に保持するとともに、保持具に吸盤を固着し、吸盤により容器蓋の裏側に着脱可能に取り付けるようにしている。また、取出具が折り畳みまたは伸縮可能になっていて、短縮した状態で保持具に取り付けるようになっている。さらに、保持具に頭部が膨大したピンが設けられ、かつ取出具に一端が大径部となったスリットが形成され、取出具のスリットの大径部を保持具のピンに挿入したのち、スライドさせて取り付けるようになっている。
【発明の効果】
【０００５】  取出具を保持する保持具が、容器蓋の裏側に着脱可能に取り付けられるようになっているため、容器の中身が無くなったときは保持具を取り外し、再び別の容器蓋の裏側に取り付けて何回でも再使用できるから経済的であり、保持具の蓋への取り付け手段が吸盤であるから、蓋の材質が金属製でもプラスチック製でも共通に使用することができる。【０００６】  また、取出具が折り畳みまたは伸縮可能になっていて、短縮した状態で保持具に取り付けるようになっているため、使いやすい長さの取出具を比較的小さい径の蓋の裏に収納することができる。【０００７】  さらに、保持具に頭部が膨大したピンを設け、取出具に一端が大径部となったスリットを形成しておき、取出具のスリットの大径部を保持具のピンに挿入したのち、スライドさせて取り付けるようにしたことにより、取出具の保持が確実であり操作も極めて簡単である。
【発明を実施するための最良の形態】
【実施例１】
【０００８】  この発明の実施例について図面を参照しながら説明する。図１はこの発明の取出具等保持具１にスプーン２を取り付けた斜視図であり、図２は容器蓋３の内部裏側に取り付けた状態をやや下側から見た透視図である。図３および図４は取出具等保持具１からスプーン２を取り外した状態を示す斜視図である。取出具等保持具１には吸盤１ａが固着され、この吸盤１ａにより容器蓋３の裏側に着脱可能に取り付けられるようになっていて、容器の中身が無くなれば別の容器蓋に移し替えて再び使用する。スプーン２はほぼ中央部で軸支され、図６に示されるように回動させて伸縮させることができ、図５の伸ばした状態で使用し、収納時には図６に示されるように回動させて短縮した状態にする。【０００９】  取出具等保持具１には、スプーン２を位置決めする溝１ｂが形成され、その中央に頭部が膨大したピン１ｃが設けられている。スプーン２には、一端が大径部２ａとなったスリット２ｂが形成され、図７に示されるように、スリット２ｂの大径部２ａに保持具のピン１ｃを合わせて挿入したのち、スライドさせて取出具等保持具１にスプーン２を保持させる。
【実施例２】
【００１０】  図８および図９に示されたものは、スプーン４を伸縮させる構造が実施例１と異なり、その他の点は実施例１と全く同様である。スプーン４は柄の部分が袋状になっていて、先の部分をその中にスライドさせて入れることができ、一端が大径部４ａとなったスリット４ｂが２箇所に形成され、図９の短縮した状態で２箇所のスリット４ｂが同じ位置に重なるようになっている。取出具等保持具１に保持させる際には、実施例１と同様に短縮した状態で、スリット４ｂの大径部４ａに保持具のピン１ｃを合わせて挿入したのち、スライドさせて保持させる。【００１１】  上記実施例１および２では、取出具としてスプーンを例示したが、これに限られるものではなく、フォーク、ナイフ、バターナイフその他の同類のものでも実施することができることは言うまでもない。
【図面の簡単な説明】
【図１】  この発明の取出具等保持具１にスプーン２を取り付けた斜視図
【図２】  取出具等保持具１を容器蓋３の裏側に取り付けた状態の透視図
【図３】  スプーン２を取り外した取出具等保持具１の斜視図
【図４】  スプーン２の短くした状態を示す斜視図
【図５】  スプーン２を伸ばした状態を示す斜視図
【図６】  スプーン２を回動させて伸縮させる状態を示す斜視図
【図７】  スプーン２を取出具等保持具１に取り付ける状態を示す斜視図
【図８】  スプーン４を伸ばした状態を示す斜視図
【図９】  スプーン４を短くした状態を示す斜視図
【符号の説明】
１  取出具等保持具    １ａ  吸盤    １ｂ  溝    １ｃ  ピン
２  スプーン    ２ａ  大径部    ２ｂ  スリット    ３  容器蓋
４  スプーン    ４ａ  大径部    ４ｂ  スリット
【図１】
2005162313.tif 000003
【図２】
2005162313.tif 000004
【図３】
2005162313.tif 000005
【図４】
2005162313.tif 000006
【図５】
2005162313.tif 000007
【図６】
2005162313.tif 000008
【図７】
2005162313.tif 000009
【図８】
2005162313.tif 000010
【図９】
2005162313.tif 000011